(57)【要約】【課題】  従来のデジタルカメラでは、カメラのホールド時に自分の指で操作部材や操作部材の周辺にプリントされた機能名称や機能を表すイラストが隠れてしまい、分からなくなってしまうことがあった。【解決手段】  画像を表示する表示手段と、複数の機能が割り当てられた操作部材と、前記操作部材への接触を検知する検知手段とを有する撮像装置における、前記表示手段の表示制御方法であって、前記検知手段による前記操作部材への接触の有無を判断し（Ｓ１２２、Ｓ１５４）、前記操作部材への接触を検知した場合に、該接触を検知した時の動作状態において前記操作部材に割り当てられた機能を前記表示手段に表示するように制御する（Ｓ１２３、Ｓ１５５）。【選択図】  図３
2007221371.tif 000002
【特許請求の範囲】
【請求項１】
画像を表示する表示手段と、
複数の機能が割り当てられた操作部材と、
前記操作部材への接触を検知する検知手段と、
前記検知手段により前記操作部材への接触を検知した場合に、該接触を検知した時の動作状態において前記操作部材に割り当てられた機能を前記表示手段に表示するように制御する制御手段と
を有することを特徴とする撮像装置。
【請求項２】
前記制御手段による前記機能の表示、非表示を切り換える切換手段を更に有し、
前記制御手段は、前記切換手段により前記機能の表示が設定された場合には前記機能を表示し、非表示が設定された場合には前記機能を表示しないように制御することを特徴とする請求項１に記載の撮像装置。
【請求項３】
前記制御手段は、前記切換手段により前記機能の非表示が設定されている場合に、非表示が設定されている旨を前記表示手段に更に表示するように制御することを特徴とする請求項２に記載の撮像装置。
【請求項４】
前記制御手段による前記機能の表示を禁止する禁止手段を更に有し、
前記禁止手段により前記機能の表示が禁止されている場合に、前記制御手段は、前記機能を表示しないように制御することを特徴とする請求項１乃至３のいずれかに記載の撮像装置。
【請求項５】
前記禁止手段は、予め設定された条件が満たされた場合に、前記機能の表示を禁止することを特徴とする請求項３に記載の撮像装置。
【請求項６】
前記予め設定された条件は、シャッタースイッチの操作であることを特徴とする請求項５に記載の撮像装置。
【請求項７】
前記予め設定された条件は、水中撮影モードであることを特徴とする請求項５に記載の撮像装置。
【請求項８】
前記制御手段は、前記操作手段の機能の設定内容を前記表示手段に更に表示し、前記切換手段により前記機能の非表示が設定されている状態で、前記検知手段により前記操作部材への接触を検知した場合に、前記表示された設定内容の内、前記操作部材を操作することで変更可能な設定内容を、表示の仕方を変えて表示することを特徴とする請求項２または３に記載の撮像装置。
【請求項９】
前記表示の仕方は、設定内容の拡大表示及び表示色の変更を含むことを特徴とする請求項８に記載の撮像装置。
【請求項１０】
画像を表示する表示手段と、複数の機能が割り当てられた操作部材と、前記操作部材への接触を検知する検知手段とを有する撮像装置における、前記表示手段の表示制御方法であって、
前記検知手段による前記操作部材への接触の有無を判断する検知工程と、
前記検知工程において前記操作部材への接触を検知した場合に、該接触を検知した時の動作状態において前記操作部材に割り当てられた機能を前記表示手段に表示する表示工程と
を有することを特徴とする表示制御方法。
【請求項１１】
前記機能の表示、非表示を切り換える切換工程を更に有し、
前記表示工程は、前記切換工程により前記機能の表示が設定されている場合に実行されることを特徴とする請求項１０に記載の表示制御方法。
【請求項１２】
前記切換工程により前記機能の非表示が設定されている場合に、非表示が設定さている旨を前記表示手段に表示する工程を更に有することを特徴とする請求項１１に記載の表示制御方法。
【請求項１３】
前記機能の表示を禁止する禁止工程を更に有し、
前記表示工程は、前記禁止工程により前記機能の表示が禁止されていない場合に実行されることを特徴とする請求項１０乃至１２のいずれかに記載の表示制御方法。
【請求項１４】
前記禁止工程では、予め設定された条件が満たされた場合に、前記機能の表示を禁止することを特徴とする請求項１２に記載の表示制御方法。
【請求項１５】
前記予め設定された条件は、シャッタースイッチの操作であることを特徴とする請求項１４に記載の表示制御方法。
【請求項１６】
前記予め設定された条件は、水中撮影モードであることを特徴とする請求項１４に記載の表示制御方法。
【請求項１７】
前記操作手段の機能の設定内容を前記表示手段に表示する工程と、
前記切換工程により前記機能の非表示が設定されている状態で、前記検知手段により前記操作部材への接触を検知した場合に、前記表示された設定内容の内、前記操作部材を操作することで変更可能な設定内容の表示の仕方を変えて表示する工程と
を更に有することを特徴とする請求項１１または１２に記載の表示制御方法。
【請求項１８】
前記表示の仕方は、設定内容の拡大表示及び表示色の変更を含むことを特徴とする請求項１７に記載の表示制御方法。
【請求項１９】
請求項１０乃至１８のいずれかに記載の表示制御方法の各工程を実現するためのプログラムコードを有することを特徴とする情報処理装置が実行可能なプログラム。
【請求項２０】
請求項１９に記載のプログラムを記憶したことを特徴とする情報処理装置が読み取り可能な記憶媒体。
【発明の詳細な説明】
【技術分野】
【０００１】
本発明は、撮影した画像を表示する表示装置を備えた撮像装置及び、該表示装置に対する表示制御方法に関する。
【背景技術】
【０００２】
従来、デジタルカメラ等の撮像装置では、限られた操作部材で多くの機能を実現するために、操作部材に対して、状況やモード等の動作状態に応じて複数の機能が割り当てられているものが多い。例えば、十字キーに対して、再生モードでは再生画像の送り機能や戻し機能が、撮影モードではストロボ設定やマクロ設定等の機能が割り当てられたりする。このような場合、ユーザが操作部材に割り当てられている機能が分かり易いように、操作部材や操作部材の周辺に機能名称や機能を表すイラストがプリントされていることが多い（例えば、非特許文献１参照）。
【０００３】
【非特許文献１】IXY DIGITAL 500 / 450、カメラユーザーガイド、１８頁
【発明の開示】
【発明が解決しようとする課題】
【０００４】
しかしながら、従来のデジタルカメラでは、カメラのホールド時に自分の指で操作部材や操作部材の周辺にプリントされた機能名称や機能を表すイラストが隠れてしまい、分からなくなってしまうことがある。
【課題を解決するための手段】
【０００５】
上記課題を解決する為に、本発明の撮像装置は、画像を表示する表示手段と、複数の機能が割り当てられた操作部材と、前記操作部材への接触を検知する検知手段と、前記検知手段により前記操作部材への接触を検知した場合に、該接触を検知した時の動作状態において前記操作部材に割り当てられた機能を前記表示手段に表示するように制御する制御手段とを有する。
【０００６】
また、画像を表示する表示手段と、複数の機能が割り当てられた操作部材と、前記操作部材への接触を検知する検知手段とを有する撮像装置における、前記表示手段の本発明の表示制御方法は、前記検知手段による前記操作部材への接触の有無を判断する検知工程と、前記検知工程において前記操作部材への接触を検知した場合に、該接触を検知した時の動作状態において前記操作部材に割り当てられた機能を前記表示手段に表示するように制御する表示工程とを有する。
【発明の効果】
【０００７】
本発明によれば、操作部材や操作部材の周辺にプリントされた機能名称や機能を表すイラストが隠れてしまっても、ユーザーは操作部材に割り当てられた機能を知ることが可能になる。
【発明を実施するための最良の形態】
【０００８】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【０００９】
図１は、本発明の実施の形態における画像処理機能を有する撮像装置の構成を示すブロック図である。なお撮像装置としては、デジタルカメラ、デジタルビデオカメラ、カメラ付き携帯端末（カメラ付き携帯電話を含む）等があり、被写体光学像を変換して電気的な画像信号を出力可能なものであれば、どのようなものであってもよい。
【００１０】
図１において、１００は撮像装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１１】
１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００１２】
２０は画像処理回路であり、Ａ／Ｄ変換器１６からのデータ或いはメモリ制御回路２２からのデータに対して所定の画素補間処理や色変換処理を行う。また、画像処理回路２０は、Ａ／Ｄ変換器１６から出力される画像データを用いて所定の演算処理を行う。そして、得られた演算結果に基づいてシステム制御回路５０が露光制御部４０、測距制御部４２に対して、ＴＴＬ（スルー・ザ・レンズ）方式のオートフォーカス（ＡＦ）処理、自動露出（ＡＥ）処理、フラッシュプリ発光（ＥＦ）処理を行っている。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００１３】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００１４】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダー（ＥＶＦ）機能を実現することができる。また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００１５】
３０は撮影した静止画像や動画像を格納するためのメモリであり、所定枚数の静止画像や所定時間の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００１６】
３２は適応離散コサイン変換（ＡＤＣＴ）等、公知の圧縮方法を用いて画像データを圧縮・伸長する圧縮・伸長回路である。圧縮・伸長回路３２は、メモリ３０に格納された画像を読み込んで圧縮処理或いは伸長処理を行い、処理を終えたデータを再びメモリ３０に書き込む。
【００１７】
４０は露光制御部であり、絞り機能を備えるシャッター１２を制御する。露光制御部４０は、フラッシュ４８と連携することによりフラッシュ調光機能も有する。４２は撮影レンズ１０のフォーカシングを制御する測距制御部、４４は撮影レンズ１０のズーミングを制御するズーム制御部、４６はバリア１０２の動作を制御するバリア制御部である。４８はフラッシュであり、ＡＦ補助光の投光機能、フラッシュ調光機能も有する。露光制御部４０及び測距制御部４２はＴＴＬ方式を用いて制御されている。上述の通り、Ａ／Ｄ変換器１６からの画像データを画像処理回路２０によって演算した演算結果に基づき、システム制御回路５０が露光制御部４０及び測距制御部４２を制御する。
【００１８】
５０は撮像装置１００全体を制御するシステム制御回路、５２はシステム制御回路５０の動作用の定数、変数、プログラム等を記憶するメモリである。
【００１９】
５４はシステム制御回路５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、これらのうち１つ以上の組み合わせにより構成される。特に、表示部の場合には、撮像装置１００の操作部７０近辺の、視認しやすい、単数あるいは複数箇所に設置されている。また、通知部５４は、その一部の機能が光学ファインダー１０４内に設置されている。
【００２０】
通知部５４の表示内容の内、ＬＣＤなどに表示するものとしては以下のものがある。まず、シングルショット／連写撮影表示、セルフタイマー表示等、撮影モードに関する表示がある。また、圧縮率表示、記録画素数表示、記録枚数表示、残撮影可能枚数表示等の記録に関する表示がある。また、シャッタースピード表示、絞り値表示、露出補正表示、フラッシュ表示、赤目緩和表示等の撮影条件に関する表示がある。その他に、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示なども行われる。
【００２１】
また、通知部５４の表示内容の内、光学ファインダー１０４内に表示するものとしては、合焦表示、手ぶれ警告表示、フラッシュ充電表示、シャッタースピード表示、絞り値表示、露出補正表示などがある。
【００２２】
５６は電気的に消去・記録可能な不揮発性メモリであり、例えばＥＥＰＲＯＭ等が用いられる。
【００２３】
６０、６２、６４、６６、７０、７２及び７４は、システム制御回路５０の各種の動作指示を入力するための操作手段であり、スイッチやダイアル、タッチパネル、視線検知によるポインティング、音声認識装置等の単数或いは複数の組み合わせで構成される。
【００２４】
ここで、これらの操作手段の具体的な説明を行う。
【００２５】
６０はモードダイアルスイッチで、自動撮影モード、プログラム撮影モード、パノラマ撮影モード、再生モード、マルチ画面再生・消去モード、ＰＣ接続モード等の各機能モードを切り替え設定することができる。
【００２６】
６２はシャッタースイッチＳＷ１で、不図示のシャッターボタンの第１ストローク（例えば半押し）によりＯＮとなり、ＡＦ処理、ＡＥ処理、ＡＷＢ処理、ＥＦ処理等の動作開始を指示する。
【００２７】
６４はシャッタースイッチＳＷ２で、不図示のシャッターボタンの第２ストローク（例えば全押し）によりＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介して画像データをメモリ３０に書き込み、更に、画像処理回路２０やメモリ制御回路２２での演算を用いた現像処理が行われる。更に、メモリ３０から画像データを読み出し、圧縮・伸張回路３２で圧縮を行い、記録媒体２００あるいは２１０に画像データを書き込む記録処理が行われる。
【００２８】
６６は電源スイッチで、電源オン及び電源オフを切り替え設定することができる。
【００２９】
７０は各種ボタンやタッチパネルなどから成る操作部である。一例として、メニューボタン、セットボタン、マクロボタン、マルチ画面再生改ページボタン、フラッシュ設定ボタン、単写／連写／セルフタイマー切り換えボタン、メニュー移動＋（プラス）ボタン、メニュー移動−（マイナス）ボタンを含む。更に、再生画像移動＋（プラス）ボタン、再生画像移動−（マイナス）ボタン、撮影画質選択ボタン、露出補正ボタン、日付／時間設定ボタンなども含む。また、上記プラスボタン及びマイナスボタンの各機能は、回転ダイアルスイッチを備えることによって、より軽快に数値や機能を選択することが可能となる。
【００３０】
７２はタッチセンサーで、操作部７０の操作部材と組み合わせて、操作部材への指の接触を検出する。本実施の形態では、タッチセンサー７２を用いて操作部材への指の接触を検出した際に、画像表示部２８または通知部５４に、その操作部材に割り当てられている機能のガイダンス表示を行い、ユーザ操作を補助し操作性を向上させる。
【００３１】
本実施の形態では、タッチセンサー７２を用いた指の接触を検出可能な操作部材を十字キーとして構成する。そして、撮影モードでは、上下左右ボタンをそれぞれ、ＩＳＯ感度設定、単写／連写／セルフタイマー設定、ストロボモード設定、マクロ・遠景設定に、再生モードでは、画像ジャンプ、画像消去、再生画像送りに割り当てたものとして説明する。なお、上記機能の割り当ては一例であり、十字キーに別の機能を割り当てたり、タッチセンサー７２を用いた指の接触を検出可能な操作部材を別のボタンとして構成したりしてもよいことは言うまでもない。
【００３２】
７４はガイダンススイッチで、タッチセンサー７２を用いて操作部材に指が接触していることを検出した際のガイダンス表示のＯＮ及びＯＦＦ（表示／非表示）を切り換えて設定することができる。システム制御回路５０はシステム制御回路５０の内部メモリ或いはメモリ５２に記憶されるガイダンス表示設定フラグの状態を変更することにより、ガイダンス表示のＯＮ／ＯＦＦ制御を行う。なお、ここではガイダンス表示のＯＮ／ＯＦＦ切り換えをガイダンススイッチ７４を用いて行うように構成しているが、メニューボタン押下により呼び出される設定メニュー等からガイダンス表示のＯＮ／ＯＦＦを切り替えるようにしてもよい。
【００３３】
８０は電源制御部で、電池検出回路、ＤＣ−ＤＣコンバータ、通電するブロックを切り替えるスイッチ回路等により構成されている。電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３４】
８２、８４はコネクタ、８６はアルカリ電池やリチウム電池等の一次電池やＮｉＣｄ電池やＮｉＭＨ電池、Ｌｉ−ｉｏｎ電池、Ｌｉポリマー電池等の二次電池、ＡＣアダプター等からなる電源部である。
【００３５】
９０及び９４はメモリカードやハードディスク等の記録媒体とのインタフェース、９２及び９６はメモリカードやハードディスク等の記録媒体と接続を行うコネクタである。
【００３６】
なお、本実施の形態では記録媒体を取り付けるインタフェース及びコネクタを２系統持つものとして説明しているが、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００３７】
インタフェース及びコネクタとしては、種々の記憶媒体の規格に準拠したものを用いて構成することが可能である。例えば、ＰＣＭＣＩＡ（Personal Computer Memory Card International Association）カードやＣＦ（コンパクトフラッシュ（登録商標））カード、ＳＤカード等を用いることができる。インタフェース９０及び９４、そしてコネクタ９２及び９６をＰＣＭＣＩＡカードやＣＦ（登録商標）カード等の規格に準拠したものを用いて構成した場合、各種通信カードを接続することができる。通信カードとしては、ＬＡＮカードやモデムカード、ＵＳＢ（Universal Serial Bus）カード、ＩＥＥＥ（Institute of Electrical and Electronic Engineers）１３９４カードがある。他にも、Ｐ１２８４カード、ＳＣＳＩ（Small Computer System Interface）カード、ＰＨＳ等がある。これら各種通信カードを接続することにより、他のコンピュータやプリンタ等の周辺機器との間で画像データや画像データに付属した管理情報を転送し合うことができる。
【００３８】
１０２は、撮像装置１００のレンズ１０を含む撮像部を覆う事により、撮像部の汚れや破損を防止する保護装置であるバリアである。
【００３９】
１０４は光学ファインダであり、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッタースピード、絞り値、露出補正などが表示される。
【００４０】
１１０は通信回路で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００４１】
１１２は通信回路１１０により撮像装置１００を他の機器と接続するコネクタ或いは無線通信の場合はアンテナである。
【００４２】
２００及び２１０はメモリカードやハードディスク等の記録媒体である。この記録媒体２００及び２１０は、それぞれ、半導体メモリや磁気ディスク等から構成される記録部２０２及び２１２、撮像装置１００とのインタフェース２０４及び２１４、撮像装置１００と接続を行うコネクタ２０６及び２１６を備えている。
【００４３】
記録媒体２００及び２１０としては、ＰＣＭＣＩＡカードやコンパクトフラッシュ（登録商標）等のメモリカード、ハードディスク等を用いることができる。また、マイクロＤＡＴ、光磁気ディスク、ＣＤ−ＲやＣＤ−ＷＲ等の光ディスク、ＤＶＤ等の相変化型光ディスク等で構成されていても勿論構わない。
【００４４】
上記説明では、シャッター１２は、絞りとシャッターを兼用するレンズシャッタータイプとして説明したが、絞りとシャッターは独立していても良い。また、シャッターはフォーカルプレーン式のシャッターで構成されても良い。
【００４５】
また、上記例では、ＡＥやＡＦ、ＥＦなどの処理を撮像素子１４からの信号を基にして行う例を示した。しかし、一眼レフタイプの場合は、撮影時のみ撮像素子に露光がされるため、ＡＥ、ＡＦ、ＥＦなどの処理は通常撮像素子と別個のセンサを持ち、その信号をもとに処理が行われる。このような一眼レフタイプにも本発明が適用可能であることは言うまでもない。
【００４６】
またズーム機能の無い単焦点レンズ内蔵の撮像装置であっても良いし、バリア１０２を有していなくとも良い。フラッシュ４８も内蔵ではなく、外付けフラッシュであっても構わない。
【００４７】
＜第１の実施形態＞
次に、上記構成を有する撮像装置１００の本第１の実施形態における動作について説明する。
【００４８】
図２〜図４は、第１の実施形態における撮像装置１００の動作を示すフローチャートである。
【００４９】
先ず、図２のステップＳ１００において、電源スイッチ６６が電源ＯＮに設定されていたならば、システム制御回路５０はフラグや制御変数等を初期化すると共に、撮像装置１００各部の初期化処理を行う（ステップＳ１０１）。
【００５０】
一方、ステップＳ１００において電源スイッチ６６が電源ＯＦＦに設定されていたならば、そのままステップＳ１００に戻り、電源スイッチ６６が電源ＯＮに設定されるまでステップＳ１００を繰り返す。
【００５１】
続いて、システム制御回路５０は、ガイダンス表示設定フラグの初期化を行い（ステップＳ１０２）、ステップＳ１０３に進む。なお、ガイダンス表示設定フラグの状態は、システム制御回路５０の内部メモリ或いはメモリ５２に記憶する。
【００５２】
ガイダンス表示設定フラグは、ガイダンス表示設定のＯＮ／ＯＦＦ制御に用いられる。ガイダンス表示設定がＯＮであって、タッチセンサー７２により構成された操作部材（本実施の形態では十字キー）に指が接触していることを検出した際に、画像表示部２８または通知部５４に、十字キーに割り当てられている機能のガイダンス表示を行う。ガイダンス表示設定フラグの初期値としては、電源ＯＮ時のガイダンス表示設定フラグのデフォルト値としてＯＮまたはＯＦＦに決めておいてもよいし、前回電源ＯＦＦ時の設定を不揮発性メモリ５６に記録しておき、それを読み出して設定してもよい。なお、ガイダンス表示については、詳細に後述する。
【００５３】
ステップＳ１０３において、システム制御回路５０は、電源制御部８０により電池等により構成される電源８６の残容量や動作情況が撮像装置１００の動作に問題があるか否かを判断する。問題があるならば（ステップＳ１０３でＮＯ）、画像表示部２８や通知部５４を用いて画像や音声により所定の警告表示を行い（ステップＳ１０５）、所定の終了処理を行った後（ステップＳ１０６）、ステップＳ１００に戻る。ステップＳ１０６における終了処理では、画像表示部２８や通知部５４の表示を終了状態に変更する。更に、バリア１０２を閉じて撮像部を保護し、フラグや制御変数等を含む必要なパラメータや設定値、設定モードおよびガイダンス表示設定フラグの状態を不揮発性メモリ５６に記録する。更に、電源制御部８０により画像表示部２８を含む撮像装置１００各部の不要な電源を遮断する等の処理を行う。
【００５４】
一方、電源８６に問題が無いならば（ステップＳ１０３でＹＥＳ）、システム制御回路５０は記録媒体２００或いは２１０の動作状態が撮像装置１００の動作、特に記録媒体２００或いは２１０に対する画像データの記録再生動作に問題があるか否かを判断する。問題があるならば（ステップＳ１０４でＮＯ）、画像表示部２８や通知部５４を用いて画像や音声により所定の警告表示を行い（ステップＳ１０５）、上述した所定の終了処理を行った後（ステップＳ１０６）、ステップＳ１００に戻る。
【００５５】
記録媒体２００或いは２１０の動作状態に問題が無いならば（ステップＳ１０４でＹＥＳ）、ステップＳ１０７に進む。
【００５６】
ステップＳ１０７ではモードダイアル６０の設定状態を確認し、撮影モードに設定されていたならば、図３のステップＳ１２０に、再生モードに設定されていたならば図４のステップＳ１５０に進む。何れでもない場合には、ステップＳ１０８で対応する処理を行ってから、ステップＳ１００に戻る。
【００５７】
次に、図３を参照しながら、モードダイアル６０により撮影モードが設定された場合の撮像装置１００の動作について説明する。
【００５８】
撮影モードでは、システム制御回路５０は撮像した画像データを逐次表示するスルー表示状態にして（ステップＳ１２０）、ステップＳ１２１に進む。スルー表示状態に於いては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示する。このようにして、電子ファインダー機能を実現している。
【００５９】
ステップＳ１２１ではモードダイアル６０の操作状態を確認し、操作されていたならば、図２のステップＳ１０７に戻る。モードダイアル６０が操作されていないならば（ステップＳ１２１でＮＯ）、ステップＳ１２２に進む。
【００６０】
十字キーへのタッチ検出がされていなければ（ステップＳ１２２でＮＯ）、そのままステップＳ１２４に進む。十字キーへのタッチ検出がされていれば（ステップＳ１２２でＹＥＳ）、十字キーに割り当てられている機能のガイダンスを画像表示部２８または通知部５４に表示する、ガイダンス表示処理を行い（ステップＳ１２３）、ステップＳ１２４に進む。このガイダンス表示処理の詳細は図５を用いて後述する。
【００６１】
ステップＳ１２４では、シャッタースイッチＳＷ１が押されているかどうかを判断し、押されていないならばステップＳ１２１に戻る。シャッタースイッチＳＷ１が押されていれば、システム制御回路５０は画像表示部２８の表示状態をフリーズ表示状態にして（ステップＳ１２５）、ステップＳ１２６に進む。
【００６２】
フリーズ表示状態に於いては、撮像素子１４、Ａ／Ｄ変換器１６、画像処理回路２０、メモリ制御回路２２を介した画像表示メモリ２４の画像データ書き換えを禁止する。そして、最後に書き込まれた画像データを、メモリ制御回路２２、Ｄ／Ａ変換器２６を介して画像表示部２８により表示することにより、静止した画像を電子ファインダーに表示する。
【００６３】
ステップＳ１２６において、システム制御回路５０は、測距処理を行って撮影レンズ１０の焦点を被写体に合わせ、測光処理を行って絞り値及びシャッター時間を決定する。測光処理に於いて、必要であればフラッシュの設定も行う。
【００６４】
測距・測光処理を終えると、システム制御回路５０は画像表示部２８の表示状態をスルー表示状態にして（ステップＳ１２７）、ステップＳ１２８に進む。なお、ステップＳ１２７でのスルー表示状態は、ステップＳ１２０でのスルー状態と同じ動作状態である。
【００６５】
シャッタースイッチＳＷ２が押されずに（ステップＳ１２８でＯＦＦ）、シャッタースイッチＳＷ１が押されたままならば（ステップＳ１２９でＯＮ）、ステップＳ１２８に戻る。シャッタースイッチＳＷ２が押されずに（ステップＳ１２８でＯＦＦ）、さらにシャッタースイッチＳＷ１も解除されたならば（ステップＳ１２９でＯＦＦ）、ステップＳ１２１に戻る。
【００６６】
シャッタースイッチＳＷ２が押されたならば（ステップＳ１２８でＯＮ）、システム制御回路５０は画像表示部２８の表示状態を固定色表示状態に設定して（ステップＳ１３０）、ステップＳ１３１に進む。固定色表示状態に於いては、撮像素子１４、Ａ／Ｄ変換器１６、画像処理回路２０、メモリ制御回路２２を介して画像表示メモリ２４に書き込まれた撮影画像データを、固定色の画像データに差し替える。この差し替えられた固定色の画像データを、メモリ制御回路２２、Ｄ／Ａ変換器２６を介して画像表示部２８により表示することにより、固定色の画像を電子ファインダーに表示する。
【００６７】
次に、ステップＳ１３１において、システム制御回路５０は、露光処理、及び、現像処理からなる撮影処理を実行する。露光処理では、撮像素子１４から読み出した信号をＡ／Ｄ変換器１６、画像処理回路２０、メモリ制御回路２２を介して、或いはＡ／Ｄ変換器１６から直接メモリ制御回路２２を介して、メモリ３０に撮影した画像データを書き込む。現像処理では、メモリ制御回路２２そして必要に応じて画像処理回路２０を用いて、メモリ３０に書き込まれた画像データを読み出して各種処理を行う。
【００６８】
その後、システム制御回路５０はクイックレビュー表示を行い（ステップＳ１３２）、続いて記録処理を実行する（ステップＳ１３３）。記録処理では、先ず、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行う。その後、記録媒体２００或いは２１０へ圧縮した画像データの書き込みを行う。
【００６９】
所定のミニマムレビュー時間が経過していなければミニマムレビュー時間が経過するまでステップＳ１３４を繰り返し、所定のミニマムレビュー時間が経過していたらステップＳ１３５に進む。
【００７０】
ステップＳ１３５では、システム制御回路５０は、画像表示部２８の表示状態をスルー表示状態にして、ステップＳ１３６に進む。
【００７１】
シャッタースイッチＳＷ１が押された状態であったならば（ステップＳ１３６でＯＮ）、システム制御回路５０は、ステップＳ１２８に戻って次の撮影に備える。シャッタースイッチＳＷ１が放された状態であったならば（ステップＳ１３６でＯＦＦ）、システム制御回路５０は、一連の撮影動作を終えてステップＳ１２１に戻る。
【００７２】
次に、図４を参照しながら、モードダイアル６０により再生モードが設定されたときの撮像装置１００の動作について説明する。
【００７３】
再生モードでは、システム制御回路５０は記録媒体２００或いは２１０に画像ファイルが記録されているかどうかのチェックを行う（ステップＳ１５０）。画像ファイルが記録されているならば、最新の画像を画像表示部２８に再生表示して（ステップＳ１５１）、ステップＳ１５３に進む。
【００７４】
画像ファイルが記録されていないならば、画像表示部２８や通知部５４に『画像がありません』等の記録媒体内に画像が記録されてない旨を伝えるメッセージを表示して（ステップＳ１５２）、ステップＳ１５３に進む。
【００７５】
ステップＳ１５３ではモードダイアル６０の操作状態を確認し、操作されていたならば、図２のステップＳ１０７に戻る。モードダイアル６０が操作されていないならば（ステップＳ１５３でＮＯ）、ステップＳ１５４に進む。
【００７６】
十字キーへのタッチ検出がされていなければ（ステップＳ１５４でＮＯ）、ステップＳ１５３に戻り繰り返す。十字キーへのタッチ検出がされていれば（ステップＳ１５４でＹＥＳ）、十字キーに割り当てられている機能のガイダンスを画像表示部２８または通知部５４に表示するガイダンス表示処理を行い（ステップＳ１５５）、ステップＳ１５３に戻り繰り返す。このガイダンス表示処理の詳細は図５を用いて後述する。
【００７７】
図５は、図３のステップＳ１２３および図４のステップＳ１５５で実行される、本第１の実施形態におけるガイダンス表示処理のフローチャートを示す。
【００７８】
システム制御回路５０は、システム制御回路５０の内部メモリ或いはメモリ５２に記憶されるガイダンス表示設定フラグの状態を判断し（ステップＳ１７０）、ガイダンス表示設定フラグがＯＦＦならば、そのままステップＳ１７２に進む。
【００７９】
一方、ガイダンス表示設定フラグがＯＮならば、画像表示部２８または通知部５４に十字キーに割り当てられている機能のガイダンスを表示する（ステップＳ１７１）。
【００８０】
本第１の実施形態の場合、撮影モードでは、ＩＳＯ感度設定、単写／連写／セルフタイマー設定、ストロボモード設定、マクロ・遠景設定を示すアイコンが、再生モードでは、画像ジャンプ、画像消去、再生画像送りを示すアイコンが、ガイダンスとして表示される。なお、ガイダンスの表示例は、図６を用いて後述する。
【００８１】
次に、十字キーによる操作入力がされたかどうかを確認し、操作入力がなされていなければ（ステップＳ１７２でＮＯ）、そのままＳ１７４に進む。操作入力がなされていたら（ステップＳ１７２でＹＥＳ）、操作入力に応じた動作を実行してから（ステップＳ１７３）、ステップＳ１７４に進む。
【００８２】
本第１の実施形態では、十字キーの操作入力に応じて、撮影モードでは、ＩＳＯ感度設定、単写／連写／セルフタイマー設定、ストロボモード設定、マクロ・遠景設定の変更が行われ、再生モードでは、画像ジャンプ、画像消去、再生画像送りが行われる。
【００８３】
十字キーへのタッチ検出は引き続き行われており、十字キーにタッチ中だと判断されたならば（ステップＳ１７４でＹＥＳ）、ステップＳ１７２に戻る。
【００８４】
十字キーへのタッチ検出が解除され、十字キーにタッチ中であると判断されなかったならば（ステップＳ１７４でＮＯ）、ステップＳ１７５に進む。
【００８５】
ステップＳ１７５では、システム制御回路５０はシステム制御回路５０の内部メモリ或いはメモリ５２に記憶されるガイダンス表示設定フラグの状態を判断する（ステップＳ１７５）。そして、ガイダンス表示設定フラグがＯＦＦならば、そのまま図３のステップＳ１２３および図４のステップＳ１５５におけるガイダンス表示処理を終了する。
【００８６】
一方、ガイダンス表示設定フラグがＯＮならば、画像表示部２８または通知部５４に表示中のガイダンスを非表示にして（ステップＳ１７６）、図３のステップＳ１２３および図４のステップＳ１５５におけるガイダンス表示処理を終了する。
【００８７】
図６は、本第１の実施形態におけるガイダンスの表示例を示す図である。なお、ガイダンス表示設定のＯＮ／ＯＦＦの切換は、図１を参照して上述したように、ガイダンススイッチ７４により切り換えることができるが、図６では、別の設定例として、メニューボタン押下により呼び出せる設定メニューを用いた例を示す。
【００８８】
図６（ａ）は撮影モードでの通常状態を示している。この状態では、ガイダンス表示設定のＯＮ／ＯＦＦに関わらず同様の表示となる。この状態で、メニューボタンを押下して設定メニューを表示し、設定メニューの中のガイダンス表示の項目を上下キーでガイダンス表示設定を選択すると、ガイダンス表示設定のＯＮ／ＯＦＦを設定することができる。ガイダンス表示設定画面は、現在のガイダンス表示設定フラグの状態に応じて、フラグがＯＮであれば図６（ｂ）の画面が、ＯＦＦであれば図６（ｃ）の画面が表示される。左右キーでガイダンス表示設定のＯＮ／ＯＦＦを切り換えることができる。
【００８９】
図６（ｄ）及び（ｅ）はそれぞれガイダンス表示設定ＯＮ（図６（ｂ））およびＯＦＦ（図６（ｃ））に設定された状態で、十字キーに触れた時の画面の様子である。
【００９０】
ガイダンス表示設定ＯＮの場合、撮影モードで十字キーに触れると十字キーに割り当てられている、ＩＳＯ感度設定、単写／連写／セルフタイマー設定、ストロボモード設定、マクロ・遠景設定機能を示すアイコンがガイダンスとして表示される（図６（ｄ））。ガイダンス表示設定ＯＦＦの場合、十字キーに触れても表示は変わらず、通常状態と同様の表示となる（図６（ｅ））。
【００９１】
このようにガイダンス表示することで、ユーザーは十字キーに割り当てられている機能を簡単に知ることができ、操作性の向上を図ることができる。また、操作に熟練している場合など、ガイダンス表示が必要ないときにはガイダンス表示設定を簡単にＯＦＦにすることもできる。
【００９２】
図７はガイダンス表示設定ＯＦＦ時の表示画面の別の例を示す図である。図６（ａ）では、ガイダンス表示設定のＯＮ／ＯＦＦにかかわらず同様の表示となるようにしたが、図７（ａ）に示すように表示しても良い。
【００９３】
図７（ａ）は、ガイダンス表示設定ＯＦＦ時の通常状態、図７（ｂ）は、ガイダンス表示設定ＯＦＦ時に十字キーに触れた時の様子を示す図である。図７（ａ）、（ｂ）では、ガイダンス表示設定がＯＦＦであることを示すアイコン５１０を表示することにより、現在ガイダンス表示設定がＯＦＦのため、十字キーに触れてもガイダンスは表示されない状態であるということがすぐにわかる。なお、ガイダンス表示入の時には、アイコン５１０の「×」が無いアイコンを表示するようにしても、アイコン５１０を表示しないようにしても良い。
【００９４】
このように、図７のように表示すると、現在ガイダンス表示設定がＯＮなのかＯＦＦなのかが一目で分かるため、より操作性の向上を図ることができる。
【００９５】
図８は、ガイダンス表示設定ＯＦＦ時の表示画面の別の例を示す図である。図６（ｅ）に示す例では、ガイダンス表示設定ＯＦＦ時に十字キーに触れても表示は変わらず、通常状態と同様の表示となるようにしたが、図８のように表示してもよい。
【００９６】
図８（ａ）及び（ｃ）は、ガイダンス表示設定ＯＦＦ時に下ボタン（単写／連写／セルフタイマー設定ボタン）に触れた場合、図８（ｂ）及び（ｄ）はガイダンス表示ＯＦＦ時に右ボタン（ストロボモード設定ボタン）に触れた場合を示す図である。図８（ａ）及び（ｂ）は、触れているボタンに対応するアイコン５１２、５１３を他のアイコンよりも大きく表示する例を示している。また、図８（ｃ）及び（ｄ）は、触れているボタンに対応するアイコン５１４、５１５を通常とは異なる色で表示する例を示している。このようにアイコンの表示の仕方を変えることで、ガイダンス表示設定ＯＦＦ時にガイダンスが表示されなくても、触れているボタンに割り当てられている機能が何であるかが分かるため、より操作性の向上を図ることができる。
【００９７】
＜第２の実施形態＞
次に、本発明の第２の実施形態について説明する。
【００９８】
本第２の実施形態では、十字キーに指が接触しているかどうかを、撮像装置の撮影・再生の処理とは独立した処理で監視し、十字キーへの接触を感知したときに、割り込みを掛けて、図１５を参照して後述するガイダンス表示処理を行う。まず、本第２の実施形態におけるメインルーチンについて説明する。
【００９９】
図９〜図１１は、第２の実施形態における撮像装置１００の動作を示すフローチャートであり、図９は図２に示す処理に、ステップＳ２０１が追加されたものである。本第２の実施形態では、ステップＳ１０２でシステム制御回路５０は、ガイダンス表示設定フラグの初期化を行い（ステップＳ１０２）、その状態をシステム制御回路５０の内部メモリ或いはメモリ５２に記憶して、ステップＳ２０１に進む。
【０１００】
ステップＳ２０１において、システム制御回路５０は、ガイダンス表示許可フラグをＯＮに初期化し、ステップＳ１０３に進む。なお、ガイダンス表示許可フラグの状態は、システム制御回路５０の内部メモリ或いはメモリ５２に記憶する。ガイダンス表示許可フラグは、ガイダンス表示設定がＯＮであっても状況に応じてガイダンスを表示するかどうかを制御するために用いられる。
【０１０１】
ステップＳ２０１以外の処理は、図２で説明した処理と同様であるため、説明を省略する。
【０１０２】
次に、図９のステップＳ１０７でモードダイアル６０が撮影モードに設定されている場合の本第２の実施形態における処理について、図１０を参照して説明する。なお、図３と同様の処理には、同じ参照番号を付し、適宜説明を省略する。
【０１０３】
撮影モードでは、システム制御回路５０は撮像した画像データを逐次表示するスルー表示状態にして（ステップＳ１２０）、ステップＳ１２１に進む。ステップＳ１２１ではモードダイアル６０の操作状態を確認し、操作されていたならば、図９のステップＳ１０７に戻る。モードダイアル６０が操作されていないならば（ステップＳ１２１でＮＯ）、ステップＳ１２４に進む。本第２の実施形態では、上述したように、十字キーに指が接触しているかどうかは、別の独立した処理で監視して割り込みをかけるため、図３で説明したステップＳ１２２及びＳ１２３の処理は行わない。
【０１０４】
ステップＳ１２４において、シャッタースイッチＳＷ１が押されているかどうかを判断し、押されていないならばステップＳ１２１に戻る。シャッタースイッチＳＷ１が押されていれば、システム制御回路５０は、システム制御回路５０の内部メモリ或いはメモリ５２に記憶されているガイダンス表示許可フラグをＯＦＦに設定し、ステップＳ１２５に進む。
【０１０５】
この後、図３で説明したステップＳ１２５〜Ｓ１２９の処理を行い、ステップＳ１２９でＳＷ１が解除された場合に（ステップＳ１２９でＯＦＦ）、ステップＳ２１１へ進む。ステップＳ２１１では、システム制御回路５０はシステム制御回路５０の内部メモリ或いはメモリ５２に記憶されるガイダンス表示許可フラグをＯＮに設定し直してから、ステップＳ１２１に戻る。
【０１０６】
一方、シャッタースイッチＳＷ２が押されたならば（ステップＳ１２８でＯＮ）、システム制御回路５０は、図３で説明したステップＳ１３０〜Ｓ１３６の処理を行う。そして、シャッタースイッチＳＷ１が放されると（ステップＳ１３６でＯＦＦ）、ステップＳ２１２に進む。ステップＳ２１２では、システム制御回路５０はシステム制御回路５０の内部メモリ或いはメモリ５２に記憶されるガイダンス表示許可フラグをＯＮに設定し直してから、一連の撮影動作を終えてステップＳ１２１に戻る。
【０１０７】
このように、シャッタースイッチＳＷ１が押されている間は、ガイダンス表示許可フラグをＯＦＦに設定する。
【０１０８】
次に、図１１を参照しながら、モードダイアル６０により再生モードが設定されたときの本第２の実施形態における撮像装置１００の動作について説明する。
【０１０９】
本第２の実施形態においては、上述したように、十字キーに指が接触しているかどうかは、別の独立した処理で監視して割り込みをかける。そのため、図１１に示す第２の実施形態の処理では、図４のステップＳ１５４及びＳ１５５の処理を行わない。それ以外の処理は、図４と同様であるため、同じ参照番号を付し、説明を省略する。
【０１１０】
次に、本第２の実施形態におけるガイダンス表示処理の詳細なフローチャートを図１２に示す。この処理は、十字キーに指などの接触が感知されたときに、上述した図９〜図１１の処理に割り込みを掛けて実行される。
【０１１１】
十字キーへの接触が感知されると、システム制御回路５０はシステム制御回路５０の内部メモリ或いはメモリ５２に記憶されるガイダンス表示設定フラグの状態を判断する（ステップＳ２７０）。ガイダンス表示設定フラグがＯＦＦならば、そのままステップＳ２７３に進む。
【０１１２】
一方、ガイダンス表示設定フラグがＯＮならば、システム制御回路５０はシステム制御回路５０の内部メモリ或いはメモリ５２に記憶されているガイダンス表示許可フラグの状態を判断する（ステップＳ２７１）。ガイダンス表示許可フラグがＯＦＦならば、そのままステップＳ２７３に進む。
【０１１３】
次に、ガイダンス表示許可フラグがＯＮならば、画像表示部２８または通知部５４に十字キーに割り当てられている機能のガイダンスを表示する（ステップＳ２７２）。なお、ガイダンスの表示内容は、図５のステップＳ１７１で説明したものと同様である。
【０１１４】
このように制御することで、ガイダンス表示設定がＯＮであっても、ガイダンス表示許可フラグがＯＦＦの場合にはガイダンス表示を禁止することができる。図９〜図１１を参照して上述した例では、シャッタースイッチＳＷ１が押されている間はガイダンス表示許可フラグがＯＦＦである。これにより、ガイダンス表示設定がＯＮであってもガイダンス表示を禁止することができ、撮影に不要な表示がされないようにすることができる。
【０１１５】
次に、十字キーによる操作入力がされたかどうかを確認し、操作入力がなされていなければ（ステップＳ２７３でＮＯ）、そのままＳ２７５に進む。操作入力がなされていたら（ステップＳ２７３でＹＥＳ）、操作入力に応じた動作を実行してから（ステップＳ２７４）、ステップＳ２７５に進む。なお、ステップＳ２７４における動作は、図５のステップＳ１７３で行われる動作と同様である。
【０１１６】
十字キーへのタッチ検出は引き続き行われており、十字キーにタッチ中だと判断されたならば（ステップＳ２７５でＹＥＳ）、ステップＳ２７３に戻る。
【０１１７】
十字キーへのタッチ検出が解除され、十字キーにタッチ中であると判断されなかったならば（ステップＳ２７５でＮＯ）、ステップＳ２７６に進む。
【０１１８】
システム制御回路５０はシステム制御回路５０の内部メモリ或いはメモリ５２に記憶されるガイダンス表示設定フラグの状態を判断し（ステップＳ２７６）、ガイダンス表示設定フラグがＯＦＦならば、そのままガイダンス表示処理を終了する。
【０１１９】
ガイダンス表示設定フラグがＯＮならば、システム制御回路５０はシステム制御回路５０の内部メモリ或いはメモリ５２に記憶されるガイダンス表示許可フラグの状態を判断する（ステップＳ２７７）。ガイダンス表示許可フラグがＯＦＦならば、そのままガイダンス表示処理を終了する。一方、ガイダンス表示許可フラグがＯＮならば、画像表示部２８または通知部５４に表示中のガイダンスを非表示にして（ステップＳ２７８）、ガイダンス表示処理を終了する。
【０１２０】
図１３は、本第２の実施形態におけるガイダンスの表示例を示す図であり、ガイダンス表示設定がＯＮの時の表示例を示している。
【０１２１】
図１３（ａ）は撮影モードでの通常状態を示している。なお、この状態では、ガイダンス表示設定及びガイダンス表示許可設定のＯＮ／ＯＦＦに関わらず同様の表示となる。
【０１２２】
図１３（ｂ）は、ガイダンス表示設定及びガイダンス表示許可フラグが共にＯＮの時に十字キーに触れた時の画面の様子を示す図である。十字キーに触れると十字キーに割り当てられている、ＩＳＯ感度設定、単写／連写／セルフタイマー設定、ストロボモード設定、マクロ・遠景設定機能を示すアイコン６０１がガイダンスとして表示される。
【０１２３】
図１３（ｃ）は、シャッタースイッチＳＷ１を押下した時の画面の様子である。ＡＦ動作が行われ、合焦枠が表示される。
【０１２４】
図１３（ｄ）は、この状態（シャッタースイッチＳＷ１を押下したまま）で、十字キーに触れた時の画面の様子である。シャッタースイッチＳＷ１を押下するとガイダンス表示許可フラグがＯＦＦに設定され、シャッタースイッチＳＷ１を離すまでＯＮにならないため、十字キーに触れてもガイダンスは表示されない。
【０１２５】
上記の通り、本第２の実施形態では、ガイダンス表示設定がＯＮであっても、シャッタースイッチＳＷ１の押下時にはガイダンスを表示しないようにする。このようにすることで、撮影時に余計なガイダンスが表示され撮影の邪魔になるのを防ぐことができる。
【０１２６】
なお、本第２の実施形態では、シャッタースイッチＳＷ１の押下時にガイダンス表示許可フラグをＯＦＦにするものとして説明した。しかしながら、ガイダンス表示許可フラグをＯＦＦにする条件を適宜設定することで、シャッタースイッチＳＷ１の押下時に限らず、所望の状況に応じてガイダンスの表示・非表示を切り換えることができる。
【０１２７】
＜第３の実施形態＞
次に、本発明の第３の実施形態について説明する。
【０１２８】
本第３の実施形態では、シーンモードが水中モードの時にガイダンスを表示しないようにする動作を説明する。
【０１２９】
水中で使用するためにカメラを水中ケースに入れると、ケースの圧力で常に操作部材に接触していると検出されてしまい、撮影者が操作部材に触れていなくてもガイダンスが誤表示されてしまうことが考えられる。そのため、水中モードの時にガイダンスを表示しないようにすることで、誤表示を防ぐ場合について説明する。
【０１３０】
本第３の実施形態における撮像装置１００の処理は、第２の実施形態で上述した図９のステップＳ１０７において、モードダイアル６０が撮影モード及び再生モードに設定されている時の処理が第２の実施形態とは異なる。従って、撮影モード及び再生モード時の処理について、図１４及び図１５をそれぞれ参照して説明する。
【０１３１】
図１４において、先ず、ステップＳ３１０でシーンモードの判定を行う。シーンモードが水中モードであれば、ガイダンス表示許可フラグをＯＦＦに設定し（ステップＳ３１１）、シーンモードが水中モードでなければ、ガイダンス表示許可フラグをＯＮに設定する（ステップＳ３１２）。以下、ステップＳ１２０〜Ｓ１３６では、第１の実施形態において図３を参照して説明した動作を行う。ただし、本第３の実施形態のステップＳ１２３のガイダンス表示処理では、第２の実施形態で図１２を参照して説明した処理を行う。
【０１３２】
また、モードダイアル６０が再生モードに設定されていた場合、図１５のステップＳ３５０において、ガイダンス表示許可フラグをＯＮに設定する。以下、ステップＳ１５０〜Ｓ１５５では、第１の実施形態において図４を参照して説明した動作を行う。ただし、本第３の実施形態のステップＳ１５５のガイダンス表示処理では、第２の実施形態で図１２を参照して説明した処理を行う。
【０１３３】
上記のように水中モードの時にガイダンス表示許可フラグをＯＦＦに制御することで、ガイダンスを表示しないようにすることができる。
【０１３４】
図１６は、本第３の実施形態におけるガイダンスの表示例を示す図であり、ガイダンス表示設定がＯＮの時の表示例である。
【０１３５】
図１６（ａ）は撮影モードでの通常状態を示している。この状態では、ガイダンス表示設定及びガイダンス表示許可設定のＯＮ／ＯＦＦに関わらず同様の表示となる。
【０１３６】
図１６（ｂ）は、撮影モードのシーンモードが水中で、ガイダンス表示設定及びガイダンス表示許可フラグが共にＯＮの時に、十字キーに触れた時の画面の様子である。十字キーに触れると十字キーに割り当てられている、ＩＳＯ感度設定、単写／連写／セルフタイマー設定、ストロボモード設定、マクロ・遠景設定機能を示すアイコン７０１がガイダンスとして表示される。
【０１３７】
図１６（ｃ）は、撮影モードのシーンモードが水中の場合の通常状態を示している。この状態では、ガイダンス表示設定及びガイダンス表示許可設定のＯＮ／ＯＦＦに関わらず同様の表示となる。図１６（ｃ）の例では、水中モードであることを示すアイコン７０２を表示することで、ユーザーは水中モードに設定されていることを知ることができる。
【０１３８】
図１６（ｄ）は、撮影モードのシーンモードが水中の時に、十字キーに触れた時の画面の様子を示す図である。シーンモードを水中にすると、ガイダンス表示許可フラグがＯＦＦに設定されるため、十字キーに触れてもガイダンスは表示されない。
【０１３９】
このように水中モードの時にガイダンスを表示しないようにすることで、誤表示を防ぐことが可能である。
【０１４０】
＜他の実施形態＞
本発明の目的は、以下の様にして達成することも可能である。まず、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。
【０１４１】
また、コンピュータが読み出したプログラムコードを実行することにより、前述した実施形態の機能が実現されるだけでなく、以下のようにして達成することも可能である。即ち、読み出したプログラムコードの指示に基づき、コンピュータ上で稼働しているオペレーティングシステム（ＯＳ）などが実際の処理の一部または全部を行い、その処理によって前述した実施形態の機能が実現される場合である。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【図面の簡単な説明】
【０１４２】
【図１】本発明の実施の形態における撮像装置の構成を示すブロック図である。
【図２】本発明の第１の実施形態における撮像装置の処理の一部を示すフローチャートである。
【図３】本発明の第１の実施形態における撮像装置の撮影モード時の処理の一部を示すフローチャートである。
【図４】本発明の第１の実施形態における撮像装置の再生モード時の処理の一部を示すフローチャートである。
【図５】本発明の第１の実施形態におけるガイダンス表示処理ルーチンを示すフローチャートである。
【図６】本発明の第１の実施形態におけるガイダンス表示を説明する図である。
【図７】本発明の第１の実施形態におけるガイダンス表示を説明する図である。
【図８】本発明の第１の実施形態におけるガイダンス表示の別の例を説明する図である。
【図９】本発明の第２及び第３の実施形態における撮像装置の処理の一部を示すフローチャートである。
【図１０】本発明の第２の実施形態における撮像装置の撮影モード時の処理の一部を示すフローチャートである。
【図１１】本発明の第２の実施形態における撮像装置の再生モード時の処理の一部を示すフローチャートである。
【図１２】本発明の第２及び第３の実施形態におけるガイダンス表示処理ルーチンを示すフローチャートである。
【図１３】本発明の第２の実施形態におけるガイダンス表示を説明する図である。
【図１４】本発明の第３の実施形態における撮像装置の撮影モード時の処理の一部を示すフローチャートである。
【図１５】本発明の第３の実施形態における撮像装置の再生モード時の処理の一部を示すフローチャートである。
【図１６】本発明の第３の実施形態におけるガイダンス表示を説明する図である。
【符号の説明】
【０１４３】
１０：撮影レンズ、１２：シャッター、１４：撮像素子、１６：Ａ／Ｄ変換器、１８：タイミング発生回路、２０：画像処理回路、２２：メモリ制御回路、２４：画像表示メモリ、２６：Ｄ／Ａ変換器、２８：画像表示部、３０：メモリ、３２：圧縮伸長回路、４０：露光制御部、４２：測距制御部、４４：ズーム制御部、４６：バリア制御部、４８：フラッシュ、５０：システム制御回路、５２：メモリ、５４：通知部、５６：不揮発性メモリ、６０：モードダイアルスイッチ、６２：シャッタースイッチＳＷ１、６４：シャッタースイッチＳＷ２、６６：電源スイッチ、６８：タッチセンサー、７０：操作部、７２：タッチセンサー、７４：ガイダンススイッチ、８０：電源制御部、８２、８４：コネクタ、８６：電源、９０、９４：入出力Ｉ／Ｆ、９２、９６：コネクタ、１００：撮像装置、１０２：バリア、１０４：光学ファインダ、１１０：通信回路、１１２：コネクタ（アンテナ）、２００、２１０：記録媒体、２０２、２１２：記録部、２０４、２１４：インタフェース、２０６、２１６：コネクタ
【図１】
2007221371.tif 000003
【図２】
2007221371.tif 000004
【図３】
2007221371.tif 000005
【図４】
2007221371.tif 000006
【図５】
2007221371.tif 000007
【図６】
2007221371.tif 000008
【図７】
2007221371.tif 000009
【図８】
2007221371.tif 000010
【図９】
2007221371.tif 000011
【図１０】
2007221371.tif 000012
【図１１】
2007221371.tif 000013
【図１２】
2007221371.tif 000014
【図１３】
2007221371.tif 000015
【図１４】
2007221371.tif 000016
【図１５】
2007221371.tif 000017
【図１６】
2007221371.tif 000018